(57)【特許請求の範囲】
【請求項１】
上端部に吊持用フックが形成され、枠型のボディを形成するとともに、この枠型ボディの上半部分に折り起こして胸の膨らみを形成する胸部形成用折り起こし部材を備えてなる水着ハンガーにおいて、胸部形成用折り起こし部材をその頂部が近接する状態で枠型のボディ側部分が枠型ボディの側方に連結された状態で内方に向けて枠型ボディに一体形成されるとともに、下部にパレオ掛止部を有するパレオ掛止部材を、その上端部が枠型ボディの上辺部分に連結された状態で垂下し、該パレオ掛止部材の下部のパレオ掛止部が前後に揺動可能に形成したことを特徴とする水着ハンガー。
【請求項２】
胸部形成用折り起こし部材を、近接する頂部間に空間が形成された状態で枠型ボディの側方から内方に向けて形成し、下部にパレオ掛止部を有するパレオ掛止部材を、そのパレオ掛止部支持桿がパレオ胸部形成用折り起こし部材の頂部間の空間を通り、胸部形成用折り起こし部材の下方にパレオ掛止部が位置するようにパレオ掛止部材を枠型ボディの上辺部分から垂下したことを特徴とする請求項１に記載の水着ハンガー。
【発明の詳細な説明】
【０００１】
【発明の属する技術分野】
本発明は水着ハンガーに関し、パレオを合わせて掛止できるようにしたものに関するものである。
【０００２】
【従来の技術】
一般に、水着ハンガーとして、水着を装着する身体のシルエットを模して枠型にしたボディの上端中央部にフックを形成し、この中央部分に形成した横桟に二つの胸部形成用折り起こし部材を設け、この胸部形成用折り起こし部材を折り起こして胸部の膨らみを形成した後、この水着ハンガーにワンピースやセパレートの水着を装着して運送や商品展示を行うようにしている。
【０００３】
【発明が解決しようとする課題】
一方、海やプールから上がった時に、腰に巻いてファッション性を高めるため、所謂「パレオ」と称される布地を付属させた婦人用水着が多くある。
ところが、上記従来の水着ハンガーでは、斯かるパレオ付きの水着を装着する場合、水着ハンガーとは別に製作されたパレオ専用掛止部材を水着ハンガーの一部、例えばフック部分に取り付け、このパレオ専用掛止部材にパレオをかけて運送や商品展示するようにしている。
【０００４】
従って、こうした従来のものでは、水着ハンガーとは別にパレオ専用掛止部材を製作して取り付けなくてはならず、金型の作製によるコストアップ、生産の手間やその保管・管理、水着ハンガーのフック部分に取り付けたり、不使用時には取り外す等の手間を要し、煩わしいだけでなく、運送や商品展示の費用も高価になってしまうという問題があった。
本発明は上記実施の形態では問題点に鑑みて提案されたもので、パレオの有無にかかわらず一種類の水着ハンガーを利用できるようにして、別部材で形成されるパレオ専用掛止部材にかかわる上記諸問題をなくすことのできる水着用ハンガーを提供することを目的とするものである。
【０００５】
【課題を解決するための手段】
上記目的を達成するために、本発明にかかる水着ハンガーは、上端部に吊持用フックが形成され、枠型のボディを形成するとともに、この枠型ボディの上半部分に折り起こして胸の膨らみを形成する胸部形成用折り起こし部材を備えてなる水着ハンガーにおいて、胸部形成用折り起こし部材をその頂部が近接する状態で枠型のボディ側部分が枠型ボディの側方に連結された状態で内方に向けて枠型ボディに一体形成されるとともに、下部にパレオ掛止部を有するパレオ掛止部材を、その上端部が枠型ボディの上辺部分に連結された状態で垂下し、該パレオ掛止部材の下部のパレオ掛止部が前後に揺動可能に形成したことを特徴とするものである。
【０００６】
また、胸部形成用折り起こし部材を、近接する頂部間に空間が形成された状態で枠型ボディの側方から内方に向けて形成し、下部にパレオ掛止部を有するパレオ掛止部材を、胸部形成用折り起こし部材の頂部間の空間を通り、胸部形成用折り起こし部材の下方にパレオ掛止部が位置するようにパレオ掛止部材を枠型ボディの上辺部分から垂下したことも特徴の一つである。
【０００７】
【発明の実施の形態】
以下、本発明の水着ハンガーにかかる一実施の形態を図面に基づいて説明する。
図１は本発明の水着ハンガーの正面図、図２はその左側面図、図３は平面図であって、図中符号１は水着ハンガーを全体的に示す。
この水着ハンガー１は、水着を装着する部分の身体のシルエットを模した合成樹脂製の枠型ボディ２と、この枠型ボディ２の肩部分を形成する上辺部分３の中央部分に回動可能に取り付けられた吊持用の合成樹脂製のフック４を備えてなる。
【０００８】
上記枠型ボディ２は、その中間高さ位置の括れ部分５が形成された補強用横桟６で上下に二分されており、下半部分には補強用横桟６の左右両端部から下方に向けてストラップ止め７が形成されている。
そして枠型ボディ２の上半部には胸部の膨らみを形成するための胸部形成用折り起こし部材８と、パレオ掛止部材９とが形成されている。
胸部形成用折り起こし部材８は、略Ｕ字状に形成され、その頂部が近接する状態で枠型ボディ２の側方から内方に向けて形成したもので、枠型ボディ２の側方に連結されるＵ字状の端部８ａ・８ｂは薄肉に形成し、当該部分を回動部として胸部形成用折り起こし部材８が起伏可能に形成されている。
【０００９】
また、胸部形成用折り起こし部材８にはこれを折り起こした時にその姿勢を保持するための姿勢保持手段１０が設けられている。
姿勢保持手段１０は、各胸部形成用折り起こし部材８・８のＵ字状の頂部内側から枠型ボディ２の側方に向けて延出された支持桿１１と、この支持桿１１の先端の球状掛止部１２を受け止める受け部１３を枠型ボディ２の内側部分に設けて構成されている。
【００１０】
そして、上記パレオ掛止部材９は、枠型ボディ２の肩部分を形成する上辺部分３の中央部分下面から胸部形成用折り起こし部材８の下方にパレオ掛止部支持桿１４を垂下するとともに、このパレオ掛止部支持桿１４の下端部に横長の四角なループ状に形成されたパレオ掛止部１５を形成して構成されている。
また、枠型ボディ２の肩部分を形成する上辺部分３に連結されるパレオ掛止部支持桿１４の上端部分でパレオ掛止部材９が前後に揺動可能になっている。
尚、図中符号１６は、枠型ボディ２の肩部分の左右両端寄り部分に設けられた肩紐止めである。
【００１１】
以上のように構成された上記水着ハンガー１を使用する手順を次に説明すると、は、図４に示すように先ず始に、胸部形成用折り起こし部材８の薄肉に形成されたＵ字状の端部８ａ・８ｂを回動部として胸部形成用折り起こし部材８を折り起こして胸部用の膨らみを形成する。
そして、折り起こされた胸部形成用折り起こし部材８は支持桿１１の端部の球状掛止部１２を受け部１３に掛合させて胸部形成用折り起こし部材８の折り起こし姿勢を保持する。
【００１２】
次に、この水着ハンガ―１にパレオ付きのワンピース型水着を装着する場合、パレオ掛止部材９を揺動させて後方に引き出した状態にし、ワンピース型水着１７を枠型ボディ２にその下方から装着すると、パレオ掛止部材９はワンピース型水着１７の後面（図上手前側）に露出した状態になる。この露出したパレオ掛止部材９のパレオ掛止部１５にパレオ１８を掛けて保持させるのである（図５参照）。
本例のようにパレオ掛止部材９を枠型ボディ２の上辺部分３の中央部分下面から胸部形成用折り起こし部材８の下方にパレオ掛止部支持桿１４を垂下し、その下端部にパレオ掛止部１５を形成するようにしたものでは、パレオ１８を掛けたパレオ掛止部１５が腰あたりに位置するので、実際の使用状態に近くなるが、本発明はこうしたものに限られず、図１中に想像線図で示すように、パレオ掛止部１５を胸部形成用折り起こし部材８の上方に形成することもできる。
【００１３】
また、この水着ハンガ―１にパレオのない水着を装着する場合には、パレオ掛止部材９を前述のように揺動させないで、パレオ掛止部材９を枠型ボディ２の上辺部分３の中央部分下面から胸部形成用折り起こし部材８の下方に垂下した状態で、水着を枠型ボディ２に装着すると、パレオ掛止部材９は水着１７内に隠された状態になる。
【００１４】
【発明の効果】
本発明にかかる水着ハンガーは以上に説明したように、上端部に吊持用フックが形成され、枠型のボディを形成するとともに、この枠型ボディの上半部分に折り起こして胸の膨らみを形成する胸部形成用折り起こし部材を備え、胸部形成用折り起こし部材をその頂部が近接する状態で枠型のボディ側部分が枠型ボディの側方に連結された状態で内方に向けて枠型ボディに一体形成し、下部にパレオ掛止部を有するパレオ掛止部材を、その上端部が枠型ボディの上辺部分に連結された状態で垂下し、該パレオ掛止部材の下部のパレオ掛止部が前後に揺動可能に形成するようにしてあるので、従来のように枠型ボディとは別にパレオ専用掛止部材を製作しなくても済む。  これにより、金型の作製によるコストアップ、生産の手間やその保管・管理、水着ハンガーのフック部分に取り付けたり、不使用時には取り外す等の煩わしい手間をなくせるとともに、運送や商品展示に要する費用も安価にすることができるという利点がある。
【図面の簡単な説明】
【図１】は本発明にかかる水着ハンガーの正面図である。
【図２】は本発明にかかる水着ハンガーの左側面図である。
【図３】は本発明にかかる水着ハンガーの平面図である。
【図４】は本発明にかかる水着ハンガーの胸部形成用折り起こし部材を降り起こした状態の斜視図である。
【図５】は本発明にかかる水着ハンガーの使用状態の斜視図である。
【符号の説明】
１・・・水着ハンガー
３・・・枠型ボディ
４・・・吊持用フック
８・・・胸部形成用折り起こし部材
９・・・パレオ掛止部材
１５・・・パレオ掛止部
【図１】
0003572251.tif 000002
【図２】
0003572251.tif 000003
【図３】
0003572251.tif 000004
【図４】
0003572251.tif 000005
【図５】
0003572251.tif 000006